(57)【要約】      （修正有）【課題】記録した本人だけでなく記録を見る人にとって装具等の利用履歴を容易に確認することができ、将来予測等を含む情報共有が可能となる装具等に特化した管理ツールとして利用する装具管理ノートを提供する。【解決手段】装具管理ノートＡは、ノートの目的を示すページと、使用装具の基本的な装着方法を示すページと、使用者の識別情報や身体的特徴情報等の基本情報を示すページと、使用装具の履歴を示すページと、関係者間で共有する情報を示すページと、使用装具の日々の確認事項を示すページとが、各ページ単位で任意の順で表紙から重ねて配列されている。【選択図】図１
0003221655.tif 000002
【実用新案登録請求の範囲】
【請求項１】
目的を示すページと、使用装具の基本的な装着方法を示すページと、使用者の識別情報や身体的特徴情報等の基本情報を示すページと、使用装具の履歴を示すページと、関係者間で共有する情報を示すページと、使用装具の日々の確認事項を示すページとを、前記各ページ単位で配列してなることを特徴とする装具管理ノート。
【考案の詳細な説明】
【技術分野】
【０００１】  本考案は、義肢や装具等（以下、「装具等」と言う。）の使用に関する必要情報を一元的に管理するための装具管理ノートに関するものである。
【背景技術】
【０００２】  装具等の使用においては、装具等の経年疲労や使用者の身体の変化等の理由により、装具等の製作者である義肢装具士が定期的にそれらの適合性を確認することが望ましいく、このような意図を有するツールとして例えば下記特許文献１が知られている。
【先行技術文献】
【特許文献】
【０００３】
【特許文献１】特許第６２８９７１６号公報
【考案の概要】
【考案が解決しようとする課題】
【０００４】  ところで、斯かる確認時において、その時における適合性を判断するだけでは、「点」による管理しかできず将来予測等の効果的な管理は困難である。【０００５】  また、使用者と義肢装具士との間だけでなく、使用者の家族、使用者の担当ケアマネージャーやリハビリ医師等の多方面の関係者との間でも情報共有することが望ましい。【０００６】  本考案は、装具等に特化した管理ツールとして利用することを目的とする装具管理ノートであり、前述の問題を解決しようとするものである。
【課題を解決するための手段】
【０００７】  本考案の装具管理ノートは、当該ノートの目的を示すページと、使用装具の基本的な装着方法を示すページと、使用者の識別情報や身体的特徴情報等の基本情報を示すページと、使用装具の履歴を示すページと、関係者間で共有する情報を示すページと、使用装具の日々の確認事項を示すページとを、前記各ページ単位で配列してなることを特徴とする。
【考案の効果】
【０００８】  本考案に係る装具管理ノートによれば、当該ノートの目的を示すページと、使用装具の基本的な装着方法を示すページと、使用者の識別情報や身体的特徴情報等の基本情報を示すページと、使用装具の履歴を示すページと、関係者間で共有する情報を示すページと、使用装具の日々の確認事項を示すページとを、前記各ページ単位で配列してなり、記録した本人だけでなく記録を見る人にとって装具等の利用履歴を容易に確認することができ、将来予測等を含む情報共有が可能とすることができる。
【図面の簡単な説明】
【０００９】
【図１】  本考案の実施例の装具理ノートの表紙
【図２】  同上実施例の目的を示すページの一例
【図３】  同上実施例の使用装具の基本的な装着方法を示すページの一例
【図４】  同上実施例の使用者の識別情報や身体的特徴情報等の基本情報を示すページの一例
【図５】  図４の続きページの一例
【図６】  同上実施例の使用装具の履歴を示すページの一例
【図７】  同上実施例の関係者間で共有する情報を示すページの一例
【図８】  同上実施例の使用装具の日々の確認事項を示すページの一例
【考案を実施するための形態】
【００１０】  本考案に係る装具管理ノートは、当該ノートの目的を示すページと、使用装具の基本的な装着方法を示すページと、使用者の識別情報や身体的特徴情報等の基本情報を示すページと、使用装具の履歴を示すページと、関係者間で共有する情報を示すページと、使用装具の日々の確認事項を示すページとを、前記各ページ単位で配列してなることを特徴とする。
【実施例】
【００１１】  以下、添付図面に従って一実施例を説明すると、本考案に係る装具管理ノートＡは、当該ノートの目的を示すページと、使用装具の基本的な装着方法を示すページと、使用者の識別情報や身体的特徴情報等の基本情報を示すページと、使用装具の履歴を示すページと、関係者間で共有する情報を示すページと、使用装具の日々の確認事項を示すページとを、前記各ページ単位で配列してなるように一体的に製本されている。【００１２】  すなわち、図１は、実施例の装具管理ノートＡの表紙であり、以下の各ページを少なくとも含んでいる。【００１３】  図２は、装具管理ノートＡの目的を示すページ１である。【００１４】  図３は、使用装具の基本的な装着方法を示すページ２であり、特に使用者が初めて装具を使用する場合等において、使用者が使用に際して留意する事項、正しい使用方法等の重要事項が簡潔に掲載されている。【００１５】  図４、図５は、同上実施例の使用者の識別情報や身体的特徴情報等の基本情報を示すページ３であり、使用者の識別情報としては、氏名、住所、電話等の欄を有し、身体的特徴情報としては、障害者手帳、特定疾患、既往歴等の欄を有し、その他の情報としては、かかりつけ医、介護支援、利用サービス等の欄を有する。【００１６】  図６は、使用装具の履歴を示すページ４であり、製作（修理）年月日、補装具名、耐用年数、目的、処方した病院（病院・医院、医師）、支給制度・支払（医療保険・総合支援法・労災・自費）、写真、適合（良好・不良）と破損状況（あり・なし）等の欄を有する。【００１７】  図７は、関係者間で共有する情報を示すページ５であり、質問・疑問・連絡欄等の欄を有する。【００１８】  図８は、使用装具の日々の確認事項を示すページ６であり、使用者が毎日装着する際にチェックすることで問題の発見を可能とするポイントが簡潔に掲載されている。【００１９】  なお、装具管理ノートＡには、前記各ページ以外でも、例えば、メモ欄を有するページ、使用状態を撮影した写真を貼付する欄を有するページ等を付加することもできる。【００２０】  ノートＡの一体的に製本する物理的な構成としては、一枚の用紙を山折りと谷折りを繰り返して重ねたもの、無線綴じや糸綴じ等の方式により複数の中紙が背に閉じられて製本したもの、ホチキス（ステープラー）による針で機械的に綴じたもの、バインダ方式で複数の中紙が着脱自在に背に綴じられた構成であっても良い。【００２１】  なお、義肢装具士が定期的に装具の適合性を確認するための定期的な訪問は、定期的に使用者の自宅や利用リハビリ施設等の生活の拠点へ訪問することにより、生活の拠点であるからこそ気付く事項があり、定期的に訪問することで破損を未然に防いだり、身体の変化にも気付きやすくなったりと適切な対応が可能となり、充実したケアやフォローが可能となる。【００２２】  さらに、装具等だけでなく、車椅子や自助具等の身の回りにある他の使用物の相談も受け付けることでこれらを装具等と共に一括で管理することもできるため、利便性に優れている。【００２３】  ちなみに、このような管理のための訪問は、任意のタイミングで実施することができるが、一般的には装具等の修理や調整等が必要となり始める３〜５ヶ月毎���目安となる。【００２４】  前述の通り、本考案に係る装具管理ノートＡは、確認時において、その時の適合性を判断する「点」による管理ではなく、その時までの経過を使用歴史として把握することができるため「線」による管理を行うことになり、ひいては将来予測が可能となる。【００２５】  また、使用者と義肢装具士との間だけでなく、使用者の家族、使用者の担当ケアマネージャーやリハビリ医師等の関係者との間でも情報共有するツールとして使用することができる。【００２６】  以上、本考案に係る装具管理ノートＡの実施形態について、その構成を例示して詳細に説明したが、本考案は、前記実施形態に限定されるものではなく、本考案の技術的思想の範囲内において改良または変更が可能であり、それらは本考案の技術的範囲に属するものである。
【符号の説明】
【００２７】  Ａ  装具管理ノート（表紙）
１  ノートの目的を示すページ
２  使用装具の基本的な装着方法を示すページ
３  使用者の識別情報や身体的特徴情報等の基本情報を示すページ
４  使用装具の履歴を示すページ
５  関係者間で共有する情報を示すページ
６  使用装具の日々の確認事項を示すページ
【図１】
0003221655.tif 000003
【図２】
0003221655.tif 000004
【図３】
0003221655.tif 000005
【図４】
0003221655.tif 000006
【図５】
0003221655.tif 000007
【図６】
0003221655.tif 000008
【図７】
0003221655.tif 000009
【図８】
0003221655.tif 000010
【手続補正書】
【提出日】平成31年3月12日(2019.3.12)
【手続補正１】
【補正対象書類名】実用新案登録請求の範囲
【補正対象項目名】請求項１
【補正方法】変更
【補正の内容】
【請求項１】
目的を示すページと、使用装具の基本的な装着方法を示すページと、使用者の識別情報や身体的特徴情報等の基本情報を示すページと、前記使用装具の履歴を示すページと、関係者間で共有する情報を示すページと、前記使用装具の日々の確認事項を示すページとが、前記各ページ単位で任意の順で表紙から順に重ねて配列されることを特徴とする装具管理ノート。